(57)【特許請求の範囲】
【請求項１】
内部に径の大きい誘導加熱コイルと径の小さい誘導加熱コイル、これら誘導加熱コイルをそれぞれ駆動する駆動回路、冷却ファン等が収容された筐体と、該筐体の上部開口部に取付けられ前記誘導加熱コイルの直上にそれぞれ鍋位置表示部が設けられた天板とを備え、
複数の点灯片を並設してなり、前記鍋位置表示部の近傍に設けられて前記径の大きい誘導加熱コイルと径の小さい誘導加熱コイルの出力電力をそれぞれ長さで表示する第１の表示部及び第２の表示部と、前記径の大きい誘導加熱コイルと径の小さい誘導加熱コイルに供給する駆動回路の出力電力をそれぞれ調整すると共に、前記出力電力に対応して前記第１、第２の表示部の点灯片を点灯させる第１の操作部及び第２の操作部とを有し、
最大出力時における前記第１の表示部の表示長さＬ1を、最大出力時における前記第２の表示部の表示長さＬ2より長く構成すると共に、前記第１の操作部と第２の操作部を同一操作量操作したときに表示される前記第１の表示部の表示長さと、前記第２の表示部の表示長さとの比をＬ1対Ｌ2としたことを特徴とする電磁誘導加熱調理器。
【発明の詳細な説明】
【技術分野】
【０００１】
本発明は、複数の加熱コイルを有する電磁誘導加熱調理器に関するものである。
【背景技術】
【０００２】
従来の電磁誘導加熱調理器に、例えば、独立した高周波発生装置とそれぞれ対応する第１，第２の加熱部を有し、第１の加熱部は複数の加熱コイルにより構成され、この第１の加熱コイルの加熱部に設けた複数の加熱コイルの一方の加熱コイルには、所要時に第２の加熱部の高周波発生装置より高周波電流を供給するようにしたものがある（例えば、特許文献１参照）。
【０００３】
【特許文献１】特開平５−３４７１８０号公報（第３頁、図１）
【発明の開示】
【発明が解決しようとする課題】
【０００４】
従来の電磁誘導加熱調理器は、一般に、ほぼ等しい外径の複数の加熱コイルが用いられており、これら加熱コイルは天板の下に設置され、天板の上面には、加熱コイルと同心上に、かつ、加熱コイルの外径に対応した大きさの鍋位置表示部が印刷されており、いずれかの鍋位置表示部上に鍋を載置し、調理するようになっている。このため、小さい径の鍋を鍋位置表示部上に載置して調理を行うと、鍋の径が加熱コイルの径より小さいため、磁束が空中に漏れて鍋を効率よく加熱することができなかった。
【０００５】
本発明は、上記の課題を解決するためになされたもので、操作部の部品を共通化することにより、コストの低減がはかれ、取付が容易で生産性を向上することのできる電磁誘導加熱調理器を提供することを目的としたものである。
【課題を解決するための手段】
【０００６】
本発明に係る電磁誘導加熱調理器は、内部に径の大きい誘導加熱コイルと径の小さい誘導加熱コイル、これら誘導加熱コイルをそれぞれ駆動する駆動回路、冷却ファン等が収容された筐体と、該筐体の上部開口部に取付けられ前記誘導加熱コイルの直上にそれぞれ鍋位置表示部が設けられた天板とを備え、複数の点灯片を並設してなり、前記鍋位置表示部の近傍に設けられて前記径の大きい誘導加熱コイルと径の小さい誘導加熱コイルの出力電力をそれぞれ長さで表示する第１の表示部及び第２の表示部と、前記径の大きい誘導加熱コイルと径の小さい誘導加熱コイルに供給する駆動回路の出力電力をそれぞれ調整すると共に、前記出力電力に対応して前記第１、第２の表示部の点灯片を点灯させる第１の操作部及び第２の操作部とを有し、最大出力時における前記第１の表示部の表示長さＬ1を、最大出力時における前記第２の表示部の表示長さＬ2より長く構成すると共に、前記第１の操作部と第２の操作部を同一操作量操作したときに表示される前記第１の表示部の表示長さと、前記第２の表示部の表示長さとの比をＬ1対Ｌ2としたものである。
【発明の効果】
【０００７】
本発明に係る電磁誘導加熱調理器は、第１の操作部と第２の操作部との操作量を同一にすることができるので、第１の操作部と第２の操作部に同一の部品を用いることができ、部品の共通化によりコストを低減することができる。また、製造時に第１の操作部と第２の操作部を間違えて取付けることがないので、歩留りがよく生産性を向上することができる。
【発明を実施するための最良の形態】
【０００８】
［実施の形態１］
図１は本発明の実施の形態１に係る電磁誘導加熱調理器（以下、電磁調理器という）の要部の断面図、図２は図１の天板の平面図及び天板と誘導加熱コイル（以下、加熱コイルという）の関係を示す断面図である。
【０００９】
上部にフランジを有する電磁調理器の筐体１内には、大径の加熱コイル２と小径の加熱コイル３が設置されており、それぞれ電源線６，７を介して高周波駆動回路４，５（以下、単に駆動回路という）から高周波電力が供給される。この場合、大径の加熱コイル２には例えば２ＫＷ、小径の加熱コイル３には例えば１ＫＷのように、加熱コイルの径に対応して供給する高周波電力が設定される。なお、図示してないが、筐体１内には駆動回路４，５等の発熱部を冷却する冷却ファンが設けられている。
【００１０】
また、筐体１の上部開口部を閉塞し、調理鍋を載置する天板８の上面には、大径の加熱コイル２に対応してこの加熱コイル２と同心的に、かつ加熱コイル２の外径とほぼ等しい径の円形の大きい鍋位置表示部１０が印刷されており、また、小径の加熱コイル３に対応して、同様に円形の小さい鍋位置表示部１１が印刷されている。
そして、筐体１は、そのフランジをテーブル等２５に設けた開口部の縁部に係止し、テーブル等２５内に収容されて設置される。なお、図示してないが、筐体１の手前側（前面側）には操作部等が設けられている。
【００１１】
上記のように構成した本実施の形態において、小さい鍋で調理する場合は、図１に示すように小さい鍋位置表示部１１上に鍋２６を載置し、小径の加熱コイル３に高周波電力を供給する。このとき、小さい鍋２６は、小さい鍋位置表示部１１のほぼ全面覆うように載置されるので、小径の加熱コイル３から磁束が空中に漏れることがほとんどなく、効率よく鍋２６が加熱されて調理を行うことができ、無駄な電力を消費することがない。
【００１２】
大きい鍋で調理する場合は、大きい鍋位置表示部１０上に鍋を載置し、大径の加熱コイル２に通電して調理を行う。この場合も大径の加熱コイル２から磁束が空中に漏れることはほとんどないので、効率よく鍋が加熱されて調理を行うことができ、無駄な電力を消費することもない。
【００１３】
図３は本実施の形態に係る電磁調理器の他の例の天板の平面図である。
本例は、筐体１内に大径の加熱コイル２を２個、小径の加熱コイル３を１個、計３個の加熱コイル２，３を設けたもので、２個の大径の加熱コイル２を操作部側（前面側）に、小径の加熱コイル３を操作部の奥側に配設したものである。そして、天板８には、図３に示すように、操作部側に大径の加熱コイル２に対応して２個の大きい鍋位置表示部１０ａ，１０ｂが設けられ、操作部の奥側に小径の加熱コイル３に対応して小さい鍋位置表示部１１が設けられている。
【００１４】
上記の説明では、筐体１内に大径の加熱コイル２を２個、小径の加熱コイル３を１個、計３個の加熱コイルを設けた場合を示したが、４個以上の加熱コイルを設けてもよく、あるいは、大径、中径、小径とそれぞれ径の異なる加熱コイルを設け、これらの加熱コイルに対応して天板８に鍋位置表示部を設けてもよい。
【００１５】
図４は本実施の形態に係る電磁調理器のさらに他の例の天板の平面図である。
本例は、大小２個の加熱コイルを、操作部側から奥行方向に設けたものである。この場合、大径の加熱コイル２を操作部側に、小径の加熱コイル３を操作部の奥行側に設ける方が使い勝手がよい。そして、天板８には、図４に示すように、大径の加熱コイル２に対応して大きい鍋位置表示部１０が、小径の加熱コイル３に対応して小さい鍋位置表示部１１が設けられている。なお、図示してないが、冷却ファンは発熱量の大きい大径の加熱コイル２の近傍に設けることが望ましく、これにより発熱部を効率よく冷却することができる。
【００１６】
上記の説明では、大径の加熱コイル２に例えば２ＫＷ、小径の加熱コイル３に例えば１ＫＷのように、加熱コイルの径に対応して駆動回路４，５から高周波電力を供給する場合を示したが、小径の加熱コイル３を駆動する駆動回路５の周波数を、他の加熱コイル２を駆動する駆動回路４の周波数より高くしてもよい。
【００１７】
駆動回路から供給する高周波電力の周波数を高くすることで、鉄以外の金属、例えばアルミ鍋を加熱することができるが、アルミ鍋を加熱した場合、加熱コイルに入力する高周波電力が大きいと、電磁誘導による反発作用でアルミ鍋が浮いてしまうことがある。これを防止するために、小径の加熱コイルを用い、供給する高周波電力の周波数を高くすることで、加熱コイルに少ない高周波電力を供給することによりアルミ鍋を効率よく加熱することができる。
【００１８】
［実施の形態２］
図５は本発明の実施の形態２に係る電磁調理器の要部の断面図及び天板の平面図である。なお、実施の形態１と同じ部分にはこれと同じ符号を付し、説明を省略する。
本実施の形態は、駆動回路４，５を囲んで風路１２を設け、その一方の側に設けた吸気口１３を冷却ファン９に接続すると共に、他方の側に設けた排気口１４を天板８に設けた排気穴１７に接続したものである。なお、風路１２の上面板には、大径の加熱コイル２と小径の加熱コイル３に対応してそれぞれ開口部１５，１６が設けられている。
【００１９】
本実施の形態の作用、効果は実施の形態１の場合とほぼ同様であるが、さらに、本実施の形態においては、発熱量の大きい駆動回路４，５を囲んで風路２を設け、冷却ファン９による冷却風により駆動回路４，５を冷却すると共に、一部の冷却風を開口部１５，１６から加熱コイル２，３側に導入してこれらを冷却するようにしたので、発熱部を効率よく冷却することができる。
【００２０】
［実施の形態３］
図６は本発明の実施の形態３に係る電磁調理器の要部の断面図、天板の平面図及び操作部の説明図である。なお、実施の形態１と同じ部分にはこれと同じ符号を付し、説明を省略する。
【００２１】
本実施の形態は、大径の加熱コイル２と小径の加熱コイル３に対応して、駆動回路４，５の出力電力を長さで表示する複数の点灯片を並設した点灯片列又はブロックからなる第１の表示部１８及び第２の表示部１９を、天板８の鍋位置表示部１０，１１の近傍にそれぞれ設け、また、操作板２０に、大径の加熱コイル２と小径の加熱コイル３に供給する駆動回路４，５の出力電力を調整する回転式又はスライド式の第１の操作部２１及び第２の操作部２２をそれぞれ設けたものである。
【００２２】
そして、駆動回路４の最大出力時における第１の表示部１８の長さＬ1を、駆動回路５の最大出力時における第２の表示部１９の長さＬ2より長くなるように構成すると共に、第１の操作部２１と第２の操作部２２を同じ回転角度又はスライド量だけ操作（以下、同一操作量という）した場合に、第１の表示部１８の表示長さと、第２の表示部１９の表示長さとの比を、Ｌ1対Ｌ2としたものである。
【００２３】
本実施の形態においては、第１の操作部２１と第２の操作部２２を同一操作量操作した場合、表示される第１の表示部１８の表示長さと、第２の表示部１９の表示長さとの比をＬ1対Ｌ2とすることにより、大径の加熱コイル２と小径の加熱コイル３を共に最大出力とした場合の、第１の操作部２１と第２の操作部２２との操作量を同一にすることができる。このため、第１の操作部２１と第２の操作部２２に同一の部品を用いることができ、部品の共通化によるコストの低減がはかれる。また、製造時に第１の操作部２１と第２の操作部２２を間違えて取付けることがなくなるので、歩留まりがよく生産性を向上することができる。
【図面の簡単な説明】
【００２４】
【図１】本発明の実施の形態１に係る電磁調理器の要部の断面図である。
【図２】図１の天板の平面図及び天板と加熱コイルとの関係を示す断面図である。
【図３】実施の形態１の他の例の天板の平面図である。
【図４】実施の形態１のさらに他の例の天板の平面図である。
【図５】本発明の実施の形態２に係る電磁調理器の要部の断面図及び天板の平面図である。
【図６】本発明の実施の形態３に係る電磁調理器の要部の断面図、天板の平面図及び操作部の説明図である。
【符号の説明】
【００２５】
１  筐体、２  大径の加熱コイル、３  小径の加熱コイル、４，５  駆動回路、８  天板、９  冷却ファン、１０，１１  鍋位置表示部、１２  風路、１８  第１の表示部、１９  第２の表示部、２１  第１の操作部、２２  第２の操作部。
【図１】
0004455565.tif 000002
【図２】
0004455565.tif 000003
【図３】
0004455565.tif 000004
【図４】
0004455565.tif 000005
【図５】
0004455565.tif 000006
【図６】
0004455565.tif 000007